(57)【要約】【課題】電線の誤配索を防止でき、電線の取り出し作業を容易にできる電線配索装置を提供する。【解決手段】電線配索装置１１は、プラス端子１３及びマイナス端子１５が接続されるバスバ１７が収容されて並んで設けられる複数のバスバ収容部２３と、電圧検出線３３の端末に取り付けられてそれぞれのバスバ１７に固定される複数の電圧検出端子２７と、バスバ収容部２３の並び方向に沿ってバスバ収容部２３に接続して設けられて対向する一対の仕切り片３９ａ，３９ｂの間がバスバ収容部２３から導出される電圧検出線３３の配索空間となる電圧検出線収容部３７と、電圧検出線収容部３７の延在方向略中央部４１に設けられて一方側の隣接する仕切り片３９ｂ同士の間が取出口４７となる電線取出部４５と、他方側の仕切り片３９ａに当接して電線取出部４５の底部４９に着脱自在に取り付けられて配索空間を取出口４７に接続する規制リブ部材５３と、を備える。【選択図】図１
2014232656.tif 000002
【特許請求の範囲】
【請求項１】
複数の電極端子が接続されるバスバが収容されて前記電極端子の並び方向に並んで設けられる複数のバスバ収容部と、
電線の端末に取り付けられてそれぞれの前記バスバに固定される複数の端子と、
前記バスバ収容部の並び方向に沿って前記バスバ収容部に接続して設けられて対向する一対の仕切り片の間が前記バスバ収容部から導出される前記電線の配索空間となる電線収容部と、
前記電線収容部の延在方向略中間部に設けられて対向する一方側の隣接する仕切り片同士の間が取出口となる電線取出部と、
対向する他方側の前記仕切り片に近接又は当接して前記電線取出部の底部に着脱自在に取り付けられて前記配索空間を前記取出口に接続する規制リブ部材と、
を備えることを特徴とする電線配索装置。
【請求項２】
前記規制リブ部材が、前記底部のロック穴に係合するロックと、対向する他方側の前記仕切り片とによって挟持されて取り付けられることを特徴とする請求項１に記載の電線配索装置。
【請求項３】
前記規制リブ部材が、前記電線取出部に取付けられた際に前記取出口に向かって徐々に幅狭低背となるように形成されていることを特徴とする請求項１又は請求項２に記載の電線配索装置。
【発明の詳細な説明】
【技術分野】
【０００１】
本発明は、バッテリを搭載した電気自動車に用いて好適な電線配索装置に関する。
【背景技術】
【０００２】
複数個の電池を電気的に直列及び／または並列に接続した組電池とすることが一般的に行われている。組電池は、複数の電池を配列して成る電池群と、電池群を構成する複数の電池のうちの所定個数の電池の電極端子に一括して電気的に接続可能な複数の電圧検出端子を有する複数個のコネクタを保持する保持部材とを備えている。組電池は、保持部材を電池群に対して取り付けることによって、コネクタのそれぞれを対応する所定個数の電池の電極端子に接続可能なコネクタモジュールを有する（例えば、特許文献１参照）。
【０００３】
図４に示すように、この種のコネクタモジュールやバスバモジュール（以下、電線配索装置と称す）５０１は、バスバ５０３と電圧検出端子５０５（ＬＡ端子）が収容される複数のバスバ収容部５０７を有する。バスバ収容部５０７は、相互がヒンジ５０９で連結され、一体の構造となっている。
また、バスバ収容部５０７には、電圧検出線収容部５１１が接続される。電圧検出端子５０５には、電圧検出線（電線）５１３が圧着される。バスバ収容部５０７から導出された電圧検出線５１３は、電圧検出線収容部５１１を経由して、電圧検出線収容部５１１の延在方向端部５１５、または延在方向略中央部５１７の電線取出部５１９へ配索される。延在方向略中央部５１７の電線取出部５１９には、図４（ｂ）に示すように、配索空間の底部５２１を延出させた支持板５２３が設けられている。
【先行技術文献】
【特許文献】
【０００４】
【特許文献１】特開２００８−２４３４１２号公報
【発明の概要】
【発明が解決しようとする課題】
【０００５】
しかしながら、電圧検出線収容部５１１に配索される電圧検出線５１３は、車輌によって、図５に示すように、電圧検出線収容部５１１の延在方向略中央部５１７、または延在方向端部５１５の何れかで取り出される。このため、本来の取り出し方向Ｘが延在方向略中央部５１７であるのに、図５（ａ）に示すように延在方向端部５１５から取り出してしまったり、本来の取り出し方向Ｙが延在方向端部５１５であるのに、図５（ｂ）に示すように延在方向略中央部５１７から取り出してしまったりする電圧検出線５１３の誤配索が発生するおそれがある。
また、電圧検出線５１３を延在方向略中央部５１７で取り出す際には、延在方向両側から配索されてきた電圧検出線５１３を略直角に屈曲させて電線取出部５１９から取り出さなければならず、配索作業が行いにくいという問題がある。
【０００６】
本発明は上記状況に鑑みてなされたもので、その目的は、電線の誤配索を防止でき、電線の取り出し作業を容易にできる電線配索装置を提供することにある。
【課題を解決するための手段】
【０００７】
本発明に係る上記目的は、下記構成により達成される。
（１）  複数の電極端子が接続されるバスバが収容されて前記電極端子の並び方向に並んで設けられる複数のバスバ収容部と、電線の端末に取り付けられてそれぞれの前記バスバに固定される複数の端子と、前記バスバ収容部の並び方向に沿って前記バスバ収容部に接続して設けられて対向する一対の仕切り片の間が前記バスバ収容部から導出される前記電線の配索空間となる電線収容部と、前記電線収容部の延在方向中間部に設けられて対向する一方側の隣接する仕切り片同士の間が取出口となる電線取出部と、対向する他方側の前記仕切り片に近接又は当接して前記電線取出部の底部に着脱自在に取り付けられて前記配索空間を前記取出口に接続する規制リブ部材と、を備えることを特徴とする電線配索装置。
【０００８】
上記（１）の構成の電線配索装置によれば、電線が電線収容部の延在方向端部から取り出される場合は、電線取出部から規制リブ部材が取り外される。電線が電線収容部の延在方向中間部の取出口から取り出される場合は、電線取出部に規制リブ部材が取り付けられる。
規制リブ部材が取り外された電線収容部は、複数の電線が配索空間の延在方向に沿って配索が可能となり、全ての電線が延在方向端部から取り出し可能となる。一方、規制リブ部材が取り付けられた電線収容部は、規制リブ部材が障壁となって、配索空間の規制リブ部材を挟む延在方向両側の電線が、規制リブ部材を越えて反対側へ配索不能となる。
従って、規制リブ部材が取り付けられている場合には、延在方向中間部の電線取出部からのみ全ての電線が取り出し可能となる。また、電線取出部は、底部に規制リブ部材が取り付けられることで、厚みが増し、剛性が向上し、取り出される複数の電線の荷重によっても変形が生じにくくなる。
【０００９】
（２）  上記（１）の構成の電線配索装置であって、前記規制リブ部材が、前記底部のロック穴に係合するロックと、対向する他方側の前記仕切り片とによって挟持されて取り付けられることを特徴とする電線配索装置。
【００１０】
上記（２）の構成の電線配索装置によれば、配索空間を画成するための仕切り片が、規制リブ部材のロック機構に兼用される。これにより、部品点数を増やさず、製品形状を大きく変更することなく、規制リブ部材の着脱構造が容易に形成可能となる。
【００１１】
（３）  上記（１）または（２）の構成の電線配索装置であって、前記規制リブ部材が、前記電線取出部に取付けられた際に前記取出口に向かって徐々に幅狭低背となるように形成されていることを特徴とする電線配索装置。
【００１２】
上記（３）の構成の電線配索装置によれば、規制リブ部材が電線取出部に取り付けられているとき、即ち、延在方向両側からの電線が延在方向略中央部の電線取出部から取り出されるとき、延在方向両側からの電線が曲げられて、上方から規制リブ部材の側方と仕切り片との間の取出口に向かって押し込まれる。規制リブ部材の側方に押し込まれた複数の電線は、取出口に向かって徐々に幅狭低背となるように形成された規制リブ部材によって徐々に取出口に向かって曲げられる。即ち、曲げ方向が取出口に案内される容易な屈曲作業が可能となる。
【発明の効果】
【００１３】
本発明に係る電線配索装置によれば、電線の誤配索を防止でき、電線の取り出し作業を容易にできる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】（ａ）は本発明の一実施形態に係る電線配索装置の要部を示した平面図、（ｂ）は（ａ）のＡ−Ａ断面図である。
【図２】（ａ）は規制リブ部材の斜視図、（ｂ）は電線取出部の拡大斜視図である。
【図３】（ａ）は電線を延在方向端部から取り出す場合の規制リブ部材の無い電線配索装置の要部を示した平面図、（ｂ）は電線を延在方向中間部から取り出す場合の規制リブ部材が取り付けられた電線配索装置の要部を示した平面図である。
【図４】（ａ）は従来の電線配索装置の平面図、（ｂ）は（ａ）の電線取出部の拡大斜視図である。
【図５】（ａ）は本来は電圧検出線を延在方向略中央部から取り出す場合に延在方向端部から取り出した誤配索の説明図、（ｂ）は本来は電圧検出線を延在方向略中央部から取り出す場合に延在方向端部から取り出した誤配索の説明図である。
【発明を実施するための形態】
【００１６】
以下、本発明に係る実施形態を図面を参照して説明する。
図１に示すように、本発明の一実施形態に係る電線配索装置１１は、バッテリ集合体（図示略）に取り付けられ、電動モータを用いて走行する電気自動車や、エンジンと電動モータとを併用して走行するハイブリッド自動車などの電動モータに、バッテリ集合体からの電力を供給する。
【００１７】
バッテリ集合体は、複数のバッテリと、これら複数のバッテリを互いに重ねて固定する部材と、を有している。それぞれのバッテリは、直方体状のバッテリ本体と、このバッテリ本体の上面の一端及び他端からそれぞれ突出した電極端子である一対のプラス端子１３及びマイナス端子１５と、を有している。プラス端子１３及びマイナス端子１５は、導電性の金属により円柱状に形成されている。バッテリ集合体は、複数のバッテリが、プラス端子１３とマイナス端子１５が隣り合うように、交互に逆向きに重ね合わされている。バッテリ集合体は、従来と同様にプラス端子１３とマイナス端子１５をバスバ１７で連結することにより、バッテリと隣接バッテリとの直列接続回路が形成され、高圧直流電圧が得られる。
【００１８】
バスバ１７は、導電性の金属板にプレス加工が施されるなどして得られるものであり、板状の金属板に、互いに隣り合うバッテリの互いに隣り合うプラス端子１３及びマイナス端子１５が通される一対のプラス端子孔１９とマイナス端子孔２１とが設けられている。バスバ１７は、プラス端子孔１９とマイナス端子孔２１とにそれぞれ通されたプラス端子１３及びマイナス端子１５にナット（図示せず）が螺合されることでバッテリに固定される。
【００１９】
個々のバスバ１７は、バスバ収容部２３に収容される。即ち、それぞれのバスバ収容部２３は、内方に一組のプラス端子１３とマイナス端子１５とを貫通させるととともに、それらを接続するバスバ１７を収容している。複数のバスバ収容部２３は、プラス端子１３とマイナス端子１５の並び方向に並んで設けられる。バスバ収容部２３は、全体的には、バスバ収容部２３が連続する方向に長い直方体状に形成される。
【００２０】
ここで、隣接するバスバ収容部２３は、ヒンジ機能（収縮／拡張）を有する弾性連結部材であるヒンジ２５で連結されている。ヒンジ２５は、隣接するバスバ収容部２３の間隔を調整することで、バッテリピッチの公差を吸収することができる。
【００２１】
それぞれのバスバ収容部２３には、導電性金属板からなる電圧検出端子（端子）２７が設けられている。電圧検出端子２７は、バスバ収容部２３の略半分の大きさの正方形状に形成され、バスバ収容部２３に収納される。電圧検出端子２７は、バスバ収容部２３に配置されたプラス端子１３またはマイナス端子１５に、穿設した端子貫通穴２９を貫通させて、バスバ１７と一体に固定される。電圧検出端子２７には電線圧着部３１が形成され、この電線圧着部３１には図３に示す電圧検出線（電線）３３が加締められる。
【００２２】
電圧検出線３３は、それぞれのバスバ収容部２３から電線導出部３５を通って電圧検出線収容部３７に導出される。電圧検出線収容部３７は、バスバ収容部２３の並び方向に沿って延在して設けられ、電線導出部３５を介してバスバ収容部２３に接続される。電圧検出線収容部３７は、対向する一対の平行な仕切り片３９ａ，３９ｂの間がバスバ収容部２３から導出される電圧検出線３３の配索空間となる。
【００２３】
配索空間に配索される電圧検出線３３は、電圧検出線収容部３７の延在方向略中央部（延在方向中間部）４１、または延在方向端部４３から導出され、コネクタ（図示略）に接続される。電圧検出線収容部３７の延在方向端部４３または延在方向略中央部４１には、電線取出部４５が設けられる。延在方向略中央部４１における電線取出部４５は、対向する一方側の隣接する仕切り片３９ｂ同士の間が取出口４７となる。この電線取出部４５には、配索空間の底部４９を延出させた支持板５１が設けられている。
【００２４】
延在方向略中央部４１における電線取出部４５には、規制リブ部材５３が着脱自在に取り付けられる。規制リブ部材５３は、対向する他方側の仕切り片３９ａに当接して、電線取出部４５の底部４９に着脱自在に取り付けられ、配索空間を取出口４７に接続する。なお、規制リブ部材５３は、対向する他方側の仕切り片３９ａに近接して当接しない構造とすることもできる。この場合、規制リブ部材５３が他方側の仕切り片３９ａに近接することにより形成される隙間は、電圧検出線３３の直径以下に設定される。
【００２５】
規制リブ部材５３の下面には、フック状のロック５５が垂設される。電線取出部４５の底部４９にはロック５５が係合する規制リブロック穴（ロック穴）５７が形成される。規制リブ部材５３は、底部４９の規制リブロック穴５７に係合するロック５５と、対向する他方側の仕切り片３９ａとによって挟持されて電線取出部４５に取り付けられる。
【００２６】
また、規制リブ部材５３は、略直方体形状に形成される。そして、規制リブ部材５３が電線取出部４５に取り付けられた際に、その長手方向、即ち、取出口４７に向かって徐々に幅狭低背となるように形成されている。即ち、規制リブ部材５３は、電線取出部４５に取り付けられた際に取出口４７に向かって徐々に幅狭低背となる傾斜面を上面と両側面とに有する。
【００２７】
次に、上記構成を有する電線配索装置１１の作用を説明する。
本実施形態の電線配索装置１１では、図３（ａ）に示すように、電圧検出線３３が電圧検出線収容部３７の延在方向端部４３から取り出される場合は、電線取出部４５から規制リブ部材５３が取り外される。一方、図３（ｂ）に示すように、電圧検出線３３が電圧検出線収容部３７の延在方向略中央部４１の取出口４７から取り出される場合は、電線取出部４５に規制リブ部材５３が取り付けられる。
【００２８】
規制リブ部材５３が電線取出部４５から取り外された電圧検出線収容部３７は、図３（ａ）に示すように、複数の電圧検出線３３が配索空間の延在方向に沿って配索が可能となり、全ての電圧検出線３３が延在方向端部４３から取り出し可能となる。
【００２９】
一方、規制リブ部材５３が電線取出部４５に取り付けられた電圧検出線収容部３７は、図３（ｂ）に示すように、規制リブ部材５３が障壁となって、配索空間の規制リブ部材５３を挟む延在方向両側の電圧検出線３３が、規制リブ部材５３を越えて反対側へ配索不能となる。
従って、規制リブ部材５３が電線取出部４５取り付けられている場合には、延在方向略中央部４１の電線取出部４５からのみ全ての電圧検出線３３が取り出し可能となる。
【００３０】
更に、電圧検出線３３が未配索の電線配索装置１１においては、規制リブ部材５３の有無を視認することで、電圧検出線３３の取り出し位置が容易に判断可能となる。また、規制リブ部材５３が取り付けられることで、延在方向両側からの電圧検出線３３は、規制リブ部材５３に沿わして屈曲が可能となる。
【００３１】
なお、規制リブ部材５３が電線取出部４５取り付けられていない電線配索装置１１においても、電圧検出線３３は延在方向略中央部４１の電線取出部４５から取り出しが可能である。しかしながら、屈曲がガイドされず（ガイドされないため曲げ半径が大きくなり）、配索が容易に行えない。
【００３２】
また、電線取出部４５は、底部４９に規制リブ部材５３が取り付けられることで、厚みが増し、剛性が向上し、取り出される複数の電圧検出線３３の荷重によっても変形が生じにくくなる。
【００３３】
また、本実施形態の電線配索装置１１では、配索空間を画成するための仕切り片３９ａが、規制リブ部材５３のロック機構に兼用される。これにより、部品点数を増やさず、製品形状を大きく変更することなく、規制リブ部材５３の着脱構造が容易に形成可能となる。
【００３４】
更に、本実施形態の電線配索装置１１では、規制リブ部材５３によって、電線経路が取出口４７の方向に規制される。これにより、電圧検出線３３は、規制リブ部材５３と仕切り片３９ｂとの間の取出口４７から取り出しが容易となる。規制リブ部材５３が電線取出部４５取り付けられているとき（延在方向両側からの電圧検出線３３が延在方向略中央部４１の電線取出部４５から取り出されるとき）、延在方向両側からの電圧検出線３３が曲げられて、上方から規制リブ部材５３の側方と仕切り片３９ｂとの間の取出口４７に向かって押し込まれる。規制リブ部材５３の側方に押し込まれた複数の電圧検出線３３は、取出口４７に向かって徐々に幅狭低背となるように形成された規制リブ部材５３によって徐々に取出口４７に向かって曲げられる。即ち、曲げ方向が取出口４７に案内される容易な屈曲作業が可能となる。
【００３５】
従って、本実施形態に係る電線配索装置１１によれば、電圧検出線３３の誤配索を防止でき、電圧検出線３３の取り出し作業を容易にできる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３６】
１１…電線配索装置
１３…プラス端子（電極端子）
１５…マイナス端子（電極端子）
１７…バスバ
２３…バスバ収容部
２７…電圧検出端子（端子）
３３…電圧検出線（電線）
３７…電圧検出線収容部（電線収容部）
３９ａ，３９ｂ…仕切り片
４１…延在方向略中央部（延在方向中間部）
４５…電線取出部
４７…取出口
４９…底部
５３…規制リブ部材
５５…ロック
５７…規制リブロック穴（ロック穴）
【図１】
2014232656.tif 000003
【図２】
2014232656.tif 000004
【図３】
2014232656.tif 000005
【図４】
2014232656.tif 000006
【図５】
2014232656.tif 000007